【手続補正書】
【提出日】平成19年9月19日(2007.9.19)
【手続補正１】
【補正対象書類名】明細書
【補正対象項目名】全文
【補正方法】変更
【補正の内容】
【発明の詳細な説明】
【発明の名称】スプレー缶の圧抜き構造
【技術分野】
【０００１】
本発明は、化粧品、塗料、又はプロパンガス等を圧縮充填しておいて噴出させるスプレー缶の圧抜き構造に関する。
【背景技術】
【０００２】
従来から、化粧品等の流体をスプレー缶に充填して販売している。図４に、このスプレー缶の一例として、化粧品のスプレー缶１０１を示す。スプレー缶１０１は、化粧品（流体）１０２を圧縮して入れる密閉缶体１０３と、この化粧品１０２を外部へ導く噴出経路１０４と、この噴出経路１０４を閉鎖又は開放する開閉手段１０５とを備えている。噴出経路１０４は、図５に示すように、密閉缶体１０３内の化粧品１０２内に通じるパイプ１０６と、外部に通じる噴出口１０７と、パイプ１０６及び噴出口１０７を連結する連結経路１０８とを備えている。連結経路１０８は、パイプ１０６を支持するパイプ支持部材１０９の中空部１１０と、パイプ支持部材１０９に挿入された移動部材１１１の中空部１１２とから構成される。開閉手段１０５は、中空部１１０と中空部１１２との連結部を閉鎖するパッキン１１３と、移動部材１１１を押し下げてパッキン１１３による閉鎖を開放する押圧部材１１４とから構成されている。このスプレー缶１０１は、パッキン１１３によって噴出経路１０４を閉鎖して密閉する一方で、使用時には、図６に示すように、押圧部材１１４を指１１５で押し下げてパッキン１１３を変形させ、噴出経路１０４を開放して化粧品１０２を外部へ噴出させることができる。
【０００３】
このようなスプレー缶１０１は、廃棄する場合には、多少残っているガスの暴発を防止するために、押圧部材１１４を指１１５で押し下げて化粧品１０２を殆ど全て噴出させることにより、密閉缶体１０３内の圧力を抜いて外部圧力と略同じにしていた。しかし、このようにして圧力を抜くには時間がかかった。また、密閉缶体１０３に孔を開けることによって密閉缶体１０３内の圧力を抜くこともあった。しかし、この場合には、工具を使用して困難な作業を行う必要があり、専用装置を使用する場合にはコストが必要となった。
【発明の開示】
【発明が解決しようとする課題】
【０００４】
そこで、本発明者は、スプレー缶の圧抜き構造に関して、さらに鋭意研究を重ねた結果、本発明に至ったのである。すなわち、本発明は、使用済のスプレー缶を廃棄する際に、スプレー缶の内圧を、容易、迅速かつ安全に抜くようにすることを目的とする。
【課題を解決するための手段】
【０００５】
本発明は、流体を圧縮して入れる密閉缶体と、該密閉缶体内の流体を外部へ導く噴出経路と、該噴出経路を閉鎖又は開放する開閉手段と、該噴出経路を開放した状態に維持する開放維持手段と、から成るスプレー缶の圧抜き構造であり、
前記噴出経路は、前記密閉缶体内に通じるパイプと、外部に通じる噴出口と、該パイプ及び該噴出口を連結する連結経路と、から構成され、
前記連結経路は、前記パイプを支持するパイプ支持部材の中空部と、該パイプ支持部材に挿入された移動部材の中空部と、から構成され、
前記開放維持手段が、前記密閉缶体のかしめ突起部に着脱自在に取り付けられるキャップから構成され、該キャップの側壁部に折り曲げ可能な折曲プレートが設けられ、
前記折曲プレートを前記キャップの内側へ折り曲げて該折曲プレートの下端部を該キャップの側壁内面に当接させた状態で、該キャップを前記密閉缶体に取り付けることによって、該折曲プレートで前記移動部材を押し下げて前記噴出経路を開放した状態に維持して前記密閉缶体内の圧力を外部へ抜くことを特徴としている。
【発明の効果】
【０００６】
開放維持手段を備える本発明のスプレー缶の圧抜き構造によれば、噴出経路が開放した状態で維持できる。このため、スプレー缶を廃棄する際には、噴出経路が開放した状態に維持して放置するのみで圧力を抜くことができる。
【０００７】
しかも、この開放維持手段が、側壁部に折り曲げ可能に折曲プレートが設けられたキャップから構成されているので、折曲プレートをキャップ内側へ折り曲げた状態で、キャップを密閉缶体に取り付けるだけで、噴出経路を開放した状態に維持することができる。また、かしめ突起を有する従来の密閉缶体に適用できるので、かかるキャップを用意しさえすれば、従来の密閉缶体に対する圧抜き作業を行うことができる。
【発明を実施するための最良の形態】
【０００８】
まず、図１及び図２を参照しながら、従来の圧抜き構造を備えたスプレー缶について説明し、その後、図３を参照しながら、本願発明に係るスプレー缶の圧抜き構造について説明する。
【０００９】
図１及び図２に示す、スプレー缶２００は、ヘアトリートメント等の化粧品（流体）を圧縮して入れる密閉缶体１４と、密閉缶体１４内の化粧品を外部へ導く噴出経路１６と、噴出経路１６を閉鎖又は開放する開閉手段１８と、噴出経路１６を開放した状態に維持する開放維持手段２０２とを備えている。開放維持手段２０２がスプレー缶の圧抜き構造として機能する。
【００１０】
噴出経路１６は、密閉缶体１４内の化粧品内に通じるパイプ２２と、外部に通じる噴出口２４と、パイプ２２及び噴出口２４を連結する連結経路２６とを備えている。連結経路２６は、パイプ２２を支持するパイプ支持部材２８の中空部３０と、パイプ支持部材２８に挿入された移動部材３２の中空部３４とから構成される。開閉手段１８は、中空部３０と中空部３４との連結部を閉鎖するパッキン３６と、移動部材３２を押し下げてパッキン３６による閉鎖を開放する押圧部材３８とから構成されている。
【００１１】
開放維持手段２０２は、移動部材３２のまわりに回動可能な押圧部材３８に設けられた２個の凸部２０４と、密閉缶体１４に設けられた２個の爪部２０６とから構成されている。
【００１２】
このスプレー缶２００は、化粧品用等として通常に使用する場合には、押圧部材３８を押圧して移動部材３２を下へ移動させることにより、移動部材３２に係合されているパッキン３６が変形し、中空部３０と中空部３４とが通じることとなる。中空部３０と中空部３４とが通じることにより、密閉缶体１４内の圧力によって、化粧品がパイプ２２から中空部３０及び３４を通って噴出口２４から噴出する。
【００１３】
次に、スプレー缶２００が使用済となり、スプレー缶２００を廃棄する場合、押圧部材３８を９０°回動させ、押圧部材を押圧して移動部材３２を下へ移動させた状態で、図２（ａ）に示すように、凸部２０４を爪部２０６の下に係合させる。凸部２０４を爪部２０６の下に係合させることにより、図２（ｂ）に示すように、パッキン３６が変形して中空部３０と中空部３４とが通じる状態が維持される。中空部３０と中空部３４とが通じる状態が維持されることにより、押圧部材３８から手を離して放置しておいても、化粧品がパイプ２２から中空部３０及び３４を通って噴出口２４から噴出し続け、密閉缶体１４内の圧力が自動的に抜かれていく。
【００１４】
このようにして化粧品を密閉缶体１４から抜くことにより、密閉缶体１４内の圧力が減少して略大気圧と同じになる。圧力が略大気圧と同じになった状態でスプレー缶２００を廃棄処分する。
【００１５】
次に、本願発明に係るスプレー缶の圧抜き構造について説明する。
【００１６】
図３に示すように、本実施形態のスプレー缶の圧抜き構造４８０は、キャップ４８２の側壁の一部に、開放維持手段として折り曲げ可能な折曲プレート４８４を設けることによって構成されている。即ち、この折曲プレート４８４は、その両側辺部がキャップ４８２の側壁から切り離されており、上部が折り曲げ可能にキャップ４８２の側壁に連結されている。また、キャップ４８２の下部には、かしめ突起部１５の内側に係合可能な突起４８６が設けられている。
【００１７】
この圧抜き構造４８０は、販売時には、図３に示すように、突起４８６がかしめ突起部１５の下方に係合されてキャップ４８２が密閉缶体１４に取り付けられている。廃棄時には、キャップ４８２を外した状態で、折曲プレート４８４の下端側を押して、鎖線で示すようにキャップ内側へ折り曲げ、折曲プレート４８４の下端部を、キャップ４８２の反対側の側壁の内面に当接させる。そして、この折り曲げ状態の折曲プレート４８４で移動部材３２を下へ移動させながら、キャップ４８２をかしめ突起部１５の内側へ押し込んで、突起４８６をかしめ突起部１５の下方に係合させる。このことで、移動部材３２の押圧状態が維持され、噴出経路１６が開放されて化粧品が噴出する状態に維持できる。折曲プレート４８４を内側へ折り曲げたとき、キャップ４８２の側壁の一部には開口部が生じるので、この開口部を通して化粧品等を外部へ噴出させることができる。なお、キャップ４８２の反対側の側壁内面に凸部を設け、この凸部で折り曲げ状態の折曲プレート４８４の下端部を支持するようにしても良い。
【００１８】
また、図３は密閉缶体１４がカセットコンロ用のガスボンベである例を図示しているが、移動部材３２の上部に押圧部材が取り付けられたスプレー缶にも適用可能である。また、このスプレー缶の圧抜き構造４８０は、かしめ突起を有する従来の密閉缶体に適用できるので、キャップ４８２を用意しさえすれば、従来の密閉缶体に対して圧抜き作業を行うことができる。化粧品、塗料、プロパンガス等を圧縮充填した密閉缶体１４を、押圧部材等を取り付けていない状態で市場に提供し、手持ちのキャップ４８２を密閉缶体１４に装着して圧抜き作業を行なうことも可能である。このように、密閉缶体１４単体で市場に提供する場合、誤噴射を防止するために予め密閉缶体１４の移動部材３２に弾性チューブ、キャップ等を取り付けておくことが好ましい。また、押圧部材が取り付けられたスプレー缶に使用する際、キャップ４８２の下部に切り欠き部を設け、この切り欠き部に移動部材３２を挿入し、キャップ４８２本体を梃子として利用して押圧部材を抜くようにしても良い。また、図３では、キャップ４８２を密閉缶体１４の上方からかしめ突起部１５の内側に嵌合して取り付ける例を示しているが、キャップ４８２を密閉缶体１４のかしめ突起部１５の外側に嵌合しても良く、また、キャップ４８２を密閉缶体１４の側方からかしめ突起部１５の外側に嵌合しても良い。
【００１９】
その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【００２０】
例えば、密閉缶体は化粧品の容器、ガスボンベ以外のものであっても良い。また、押圧部材、ガード、キャップの形状についても上記実施形態に限定されるものではなく、例えば、押圧部材を熊の頭部の形状にするなど、動物、植物等を模した形状に形成しても良い。更にまた、上記実施形態では、スプレー噴射構造として、バネの付勢力に抗して移動部材３２を押し下げてパイプ支持部材２８の中空部３０と移動部材３２の中空部３４との連結部を閉鎖しているパッキン３６を曲げ変形させることによって、これら中空部３０と中空部３４とを連通させて化粧品等を噴射させるタイプのスプレー噴射構造を例示しているが、本発明は勿論これに限定されるものではなく、上方へ付勢された移動部材を押し下げることによって、それまで閉鎖されていた噴射経路の一部分又は複数部分を開放させて化粧品等を噴射させることができる噴射構造であれば、各種のスプレー噴射構造を用いることができる。移動部材の付勢手段についても、コイルバネに限定されるものではなく、例えば、板バネ、空気バネ等を利用することができる。
【図面の簡単な説明】
【００２１】
【図１】従来の圧抜き構造を備えたスプレー缶を示す図であり、同図（ａ）は平面図であり、同図（ｂ）は一部正面断面図である。
【図２】図１のスプレー缶の使用状態を示す図であり、（ａ）は平面図であり、（ｂ）は一部正面断面図である。
【図３】本発明に係るスプレー缶の圧抜き構造の実施形態を示す一部正面断面図である。
【図４】従来のスプレー缶を示す正面断面図である。
【図５】図４のスプレー缶の使用状態を示す一部正面断面図である。
【図６】図４のスプレー缶の使用状態を示す一部正面断面図である。
【符号の説明】
【００２２】
４８０；スプレー缶の圧抜き構造
１４；密閉缶体
１５；密閉缶体のかしめ突起部
１６；噴出経路
１８；開閉手段
２２；パイプ
２４；噴出口
２６；連結経路
２８；パイプ支持部材
３０；パイプ支持部材の中空部
３２；移動部材
３４；移動部材の中空部
３６；パッキン
４８２；キャップ
４８４；折曲プレート
４８６；突起
【手続補正２】
【補正対象書類名】図面
【補正対象項目名】全図
【補正方法】変更
【補正の内容】
【図１】
2007076746.tif 000001
【図２】
2007076746.tif 000002
【図３】
2007076746.tif 000003
【図４】
2007076746.tif 000004
【図５】
2007076746.tif 000005
【図６】
2007076746.tif 000006